(57)【要約】【課題】装着時に周方向に回転することを防止でき、正確な位置に簡単に装着できる血圧計用カフを提供する。【解決手段】カフ１０は、帯状かつ袋状に形成された外袋部材５０と、外袋部材５０に収納され、流体の供給・排出によって膨張・収縮する空気袋５２と、空気袋５２とともに外装部材５０に収納された湾曲形状の可撓板５４と、外袋部材５０の外周面の面ファスナ６６と、面ファスナに係合する内布６０とを備える。外装部材５０の外周面の基端部分には、一周以上巻き付けた外装部材５０の内周面を押し付けるための押付部６８が設けられ、面ファスナ６６は押付部６８の先端側にずれて配置される。【選択図】図２
2014113234.tif 000002
【特許請求の範囲】
【請求項１】
帯状かつ袋状に形成された外袋部材と、該外袋部材に収納され、流体の供給・排出によって膨張・収縮する空気袋と、前記空気袋とともに前記外装部材に収納された湾曲形状の可撓板と、前記外袋部材の外周面と内周面にそれぞれ設けられ、前記外装部材を一周以上巻き付けた際に重ね合わされる一対の面ファスナと、を備えた血圧計用カフにおいて、
前記外装部材の外周面の基端部分には、一周以上巻き付けた前記外装部材の内周面を押し付ける押付部が設けられ、前記押付部よりも先端側に前記外周面側の面ファスナが配置されることを特徴とする血圧計用カフ。
【請求項２】
前記外周面側の面ファスナは、前記空気袋の周方向の中心よりも先端側に配置されることを特徴とする請求項１に記載の血圧計用カフ。
【請求項３】
前記外装部材の外周面には、前記空気袋の周方向の中心に指標が設けられることを特徴とする請求項２に記載の血圧計用カフ。
【請求項４】
前記押付部には、該押付部を示す表記があることを特徴とする請求項２または３に記載の血圧計用カフ。
【発明の詳細な説明】
【技術分野】
【０００１】
本発明は血圧計用カフに係り、特に上腕に一周以上巻きつけて装着する血圧計用カフに関する。
【背景技術】
【０００２】
血圧計用カフ（以下、カフという）は、血圧計本体に接続され、血圧測定時に上腕等の被測定部に巻回される。カフの内部には空気袋が設けられており、この空気袋に流体を供給することによって空気袋が膨張し、動脈を圧迫できるようになっている。これにより、動脈の圧脈波を検出することができ、血圧を測定することができる。
【０００３】
カフは通常、帯状かつ袋状に形成された外装部材と、外装部材の内部に収納された空気袋と、外装部材の表面に設けられた一対の面ファスナとで構成されている。一対の面ファスナは、外装部材を巻回させた際に重ね合わされる部分に配置されており、具体的には面ファスナの一方が外装部材の外周側の基端部に設けられ、もう一方が内周側の中央から先端部にかけて配置されている。このように構成されたカフは、外装部材を被装着部位に一周させた後、面ファスナ同士を重ね合わさせることによって装着される。
【０００４】
ところで、家庭用の場合、被測定者は独りで血圧計用カフを装着しなければならず、カフを正しい位置・姿勢で装着することが困難であった。そこで、特許文献１のカフは、外装部材の内部に弾性変形可能な円弧状のカーラを設けており、外装部材の基端部が上腕に引っかかるようになっている。したがって、外装部材の先端側を片手で持って巻きつけるだけで血圧計用カフを装着することができる。
【先行技術文献】
【特許文献】
【０００５】
【特許文献１】特許第４５３４５８３号
【発明の概要】
【発明が解決しようとする課題】
【０００６】
しかしながら、特許文献１のカフは、被測定者が細腕だった場合にカフが周方向に回転してしまい、正しい位置に装着できないという問題があった。すなわち、カフをしっかりと装着するためにカフの先端側を外側に引っ張りながら巻き付けることが必要であるが、被測定者が細腕の場合には外装部材の基端側の引っ掛かりが弱いため、カフが周方向にずれるという問題が発生する。その結果、空気袋の位置が動脈の位置からずれ、正確な計測を行うことができなくなる。これを防止するためには、外装部材の基端部を押さえ付けながら先端側を巻きつければよいが、被測定者が独りで装着する場合は片手しか使えないため、外装部材の基端部を押さえ付けることができない。
【０００７】
本発明はこのような事情に鑑みて成されたもので、装着時に周方向に回転することを防止でき、正確な位置に簡単に装着できる血圧計用カフを提供することを目的とする。
【課題を解決するための手段】
【０００８】
請求項１の発明は前記目的を達成するために、帯状かつ袋状に形成された外袋部材と、該外袋部材に収納され、流体の供給・排出によって膨張・収縮する空気袋と、前記空気袋とともに前記外装部材に収納された湾曲形状の可撓板と、前記外袋部材の外周面と内周面にそれぞれ設けられ、前記外装部材を一周以上巻き付けた際に重ね合わされる一対の面ファスナと、を備えた血圧計用カフにおいて、前記外装部材の外周面の基端部分には、一周以上巻き付けた前記外装部材の内周面を押し付ける押付部が設けられ、前記押付部よりも先端側に前記外周面側の面ファスナが配置されることを特徴とする。
【０００９】
本発明によれば、従来は基端近傍に配置されていた外周面側の面ファスナを先端側にずらして配置することにより、その面ファスナの基端側を押付部として利用できるようにした。したがって、外装部材を一周以上巻き付けた際、その内周面を外周面側の押付部に押し付けることができ、外装部材の基端部分を被測定部位に押し付けることができる。これにより、装着時に外装部材が回転することを防止できるので、カフを正確な位置に装着することができる。なお、本発明では外装部材の長手方向の両端部のうち、巻き付け時に被測定部位に引っ掛ける側の端部を基端とし、反対側を先端とする。
【００１０】
請求項２に記載の発明は請求項１の発明において、前記外周面側の面ファスナは、前記空気袋の周方向の中心よりも先端側に配置されることを特徴とする。通常、カフは空気袋の中心を装着位置の基準としており、空気袋の中心が動脈の位置に配置されるようにしている。本発明によれば、面ファスナが空気袋の中心よりも先端側に配置されるので、外装部材の基端から空気袋の中心までを押付部として利用することができる。したがって、空気袋の中心を位置決めの基準として被測定部位に押し付けながら装着することができ、カフを正確な位置に装着することができる。
【００１１】
請求項３に記載の発明は請求項２の発明において、前記外装部材の外周面には、前記空気袋の周方向の中心に指標が設けられることを特徴とする。本発明によれば、空気袋の中心に指標が設けられているので、その指標を目印として装着を行うことができる。
【００１２】
請求項４に記載の発明は請求項２または３の発明において、前記押付部には、該押付部を示す表記があることを特徴とする。本発明によれば、押付部の表記があるので、使用者は押付部を正しく利用することができる。なお、押付部の表記としては、「押付部」の文字を表記したり、押付部の使用方法を表記したり、様々な態様が可能である。
【発明の効果】
【００１３】
本発明によれば、外周面側の面ファスナを先端側にずらして配置することにより、その面ファスナの基端部分を押付部として利用できるようにしたので、外装部材を一周以上巻き付けて押付部に押し付けながら巻き付けることができ、カフを正確な位置に装着することができる。
【図面の簡単な説明】
【００１４】
【図１】本発明に係るカフが適用された血圧測定装置の概略構成を示す図
【図２】カフの外周面側を示す平面展開図
【図３】カフの内周面側を示す平面展開図
【図４】組立後のカフの側面図
【図５】カフの作用を説明する説明図
【発明を実施するための形態】
【００１５】
以下、添付図面に従って、本発明に係る血圧計用カフの好ましい実施形態について説明する。図１は本発明の血圧計用カフ（以下、カフ）が適用された血圧測定装置の概略構成を示している。
【００１６】
同図に示す血圧測定装置１４は、被測定部１２に装着したカフ１０によって阻血をしながら血圧を自動的に計測する装置である。カフ１０の構成は後で詳説するが、カフ１０にはコネクタ１６が設けられ、このコネクタ１６に主配管１８が接続されている。主配管１８には空気ポンプ２０と排気制御弁２２が接続されており、空気ポンプ２０によって空気を供給したり、排気制御弁２２から空気を排出したりすることができる。
【００１７】
また、主配管１８は圧力センサ２４に接続されており、この圧力センサ２４によってカフ１０内の空気袋５２（図２参照）の圧力値が検出される。圧力センサ２４はローパスフィルタ２６とバンドパスフィルタ２８に接続されており、圧力センサ２４から圧力信号ＳＰが出力される。ローパスフィルタ２６は圧力信号ＳＰに基づいてカフ１０の圧迫圧を表すカフ圧信号ＳＫを生成し、バンドパスフィルタ２８は生体の心拍に同期して発生する圧力振動の脈波信号ＳＭを生成する。これらの信号ＳＫ、ＳＭは、Ａ／Ｄ変換器３０を介して電子制御装置３２に出力される。
【００１８】
電子制御装置３２は、所謂マイクロコンピュータであり、ＣＰＵ３４、ＲＡＭ３６、ＲＯＭ３８を備えており、ＣＰＵ３４がＲＡＭ３６の記憶機能を利用しつつ、予めＲＯＭ３８に記憶されたプログラムに従って入力信号を処理するようになっている。この制御装置３２によれば、空気ポンプ２０、排気制御弁２２をそれぞれ制御することができる。なお、電子制御装置３２には、起動押釦スイッチ４０が接続されており、この起動押釦スイッチ４０から起動信号ＳＳが出力される。また、電子制御装置３２には表示部４２が接続され、この表示部４２に測定結果などが表示される。
【００１９】
以上のように構成された血圧測定装置１４によれば、起動押釦スイッチ４０が操作されると、空気ポンプ２０からカフ１０に圧縮空気（気体）が供給される。これにより、カフ１０内の空気袋５２（図２参照）が膨張し、空気袋５２内の圧力が急速昇圧する。そして、空気袋５２内の圧力値が目標昇圧値（予め最高血圧値よりも十分に高く設定された値）に到達した後、空気袋５２への供給が停止され、空気袋５２内の空気が徐々に排気される。その間、脈波信号ＳＭの大きさの変化に基づいて最高血圧値および最低血圧値が決定され、表示部４２に表示される。最後に空気袋５２内の空気が急速排気され、血圧測定が終了する。
【００２０】
次に本実施の形態のカフ１０について図２、図３に基づいて説明する。図２は平面展開したカフ１０の外周面を示しており、図３は平面展開したカフ１０の内周面を示している。
【００２１】
これらの図に示すように、カフ１０は主として、外装部材５０、空気袋５２、可撓板５４で構成される。
【００２２】
外装部材５０は、図２の外布５６と、図３の内布５８、内布６０、縁布６２とを縫い合わせることによって帯状且つ袋状に形成されている。外布５６は、比較的伸縮不能な合成繊維（たとえばナイロン素材）から成り、長手方向の一方側（図２の左側）が一定幅で形成され、他方側（図２の右側）は徐々に幅が狭くなるように形成されている。ここで、一定幅側（図２の左側）の端部を基端、徐々に狭くなる側（図２の右側）の端部を先端とする。
【００２３】
内布５８は、比較的伸縮可能な素材（外布とは異なるナイロン素材）から成り、一定幅で形成される。一方、内布６０は、表面がループ状繊維になっており、面ファスナとして機能するようになっている。内布６０は幅が徐々に狭くなるように形成されており、この内布６０を一定幅の内布５８に縫合することによって、外布５６と略同じ形状になっている。
【００２４】
内布５８、６０と外布５６は重ね合わされた後、その周囲が縁布６２で縫製される。これにより、帯状且つ袋状の外装部材５０が形成される。なお、外装部材５０の構成、形状、素材等は、上述したものに限定されるものではなく、たとえば不織布などを用いて外装部材５０を構成してもよい。また、本実施の形態では、内布６０が面ファスナとして機能するようにしたが、これに限定するものではなく、たとえば内布５８を外布５６と同じ形状にして、その表面に別の面ファスナを縫い付けてもよい。
【００２５】
外装部材５０の先端部分には、チューブ６４が設けられる。チューブ６４は、外布５６と内布６０との間に配置されており、外布５６と内布６０を縫製することにより形成された袋状の収納空間の内部に配置されている。また、チューブ６４は、ゴム等の弾性体で構成され、適度な剛性を備えており、チューブ６４によって外装部材５０の先端を容易に把持できるようになっている。
【００２６】
外装部材５０の中央から基端部分（すなわち一定幅の部分）には、空気袋５２が収納されている。空気袋５２の構成は図示しないが、たとえば相互に重ねられた外側シートと内側シートをその周縁部で高周波溶着や超音波溶着等によって気密に固着することによって構成される。また、空気袋５２の材質は特に限定するものではないが、軟質で可撓性を有するもの、例えば軟質ポリ塩化ビニルシートや天然或いは合成ゴムシート等で構成される。
【００２７】
外装部材５０の内部には、空気袋５２と同じ位置に可撓板５４が配置されている。可撓板５４は、可撓性を有する素材（たとえばプラスチック）から成り、空気袋５２と略同じ大きさの矩形状に形成され、空気袋５２の外周側に配置されている。また、可撓板５４は、自然状態で円状に湾曲しており、組立後のカフ１０は図４に示すように基端側の部分が可撓板５４の形状に倣って円状に湾曲している。
【００２８】
外装部材５０の外周面には、面ファスナ６６が設けられる。面ファスナ６６の表面には弾性変形可能な合成樹脂製の多数の鉤状突起が設けられており、前述の内布６０に重ね合わせることによって、内布６０に着脱自在に係合される。この面ファスナ６６は、基端から所定の間隔をおいて配置されており、空気袋５２の中心位置５２Ａよりも先端側（図２の右側）に配置されている。なお、空気袋５２の中心位置５２Ａには、バーや矢印などが指標７０として印刷されている。
【００２９】
面ファスナ６６の基端側には、押付部６８が設けられている。押付部６８は、外装部材５０の外周面のうち、その基端から面ファスナ６６の基端側の縁までであり、空気袋５２の中心位置５２Ａを含むように配置されている。この押付部６８には面ファスナ６６がないので、一周巻きつけた外装部材５０の内周面を押し付けることができる。
【００３０】
押付部６８には「押付部６８であることを示す」表記７２が成されている。「押付部６８であることを示す」表記７２とは、たとえば押付部６８の使用方法の説明図であり、一周巻き付けた外装部材５０を押付部６８に押し付けながら巻き付けることが示されている。なお、表記７２はこれに限定されるものではなく、たとえば「押付部」という文字の表記であってもよい。
【００３１】
次に上記の如く構成されたカフ１０の作用について図５に基づいて説明する。図５はカフ１０の作用を説明する説明図であり、カフ１０を被測定部（上腕）１２に装着する様子を模式的に示している。
【００３２】
図５（ａ）に示すように、まず、カフ１０（外装部材５０）の基端側を被測定部１２に引っ掛ける。このとき、カフ１０の基端側は可撓板５４の形状に倣って湾曲しているので、可撓板５４の弾性力に抗してカフ１０の基端部を広げながら被測定部１２に係合させる。
【００３３】
次にカフ１０を被測定部１２に馴染ませ、カフ１０と被測定部１２との間に隙間ができないようにする。同時にカフ１０を正しい位置に配置する。カフ１０の正しい位置とは、動脈１３の位置に外装部材５０の指標７０が配置される位置である。
【００３４】
次に、カフ１０の先端側を持ち、図５（ｂ）に示すように、カフ１０を被測定部１２に一周以上巻き付ける。このとき、一周以上巻き付けた外装部材５０の内周面を、基端側の外周面の押付部６８に押し付けながら、カフ１０の先端側を被測定部１２の外側（矢印α方向に）引っ張る。これにより、押付部６８が矢印βの如く被測定部１２に押し付けられるので、外装部材５０が被測定部１２に対して回転することを防止でき、且つ、被測定部１２と外装部材５０との間に隙間なく巻きつけることが可能になる。
【００３５】
次に、図５（ｃ）に示すように外装部材５０を被測定部１２に巻き付けることによって、面ファスナ６６に外装部材５０の内布６０を重ね合わせる。これにより、面ファスナ６６と内布６０が係合されるので、カフ１０が被測定部１２に装着される。
【００３６】
以上説明したように本実施の形態によれば、面ファスナ６６を外装部材５０の基端から離して配置し、面ファスナ６６の基端側に押付部６８を設けたので、一周以上巻き付けた外装部材５０の内周面によって押付部６８を被測定部１２に押し付けることができる。したがって、外装部材５０の先端側を外側に引っ張りながら巻き付けた際に外装部材５０が回転することがなく、外装部材５０を被測定部１２に締め付けながら巻き付けることができる。これにより、カフ１０を被測定部１２に対して隙間なく、且つ、正しい位置に装着することができる。
【００３７】
また、本実施の形態によれば、面ファスナ６６が空気袋５２の中心位置５２Ａよりも先端側に配置されているので、空気袋５２の中心位置５２Ａを被測定部１２に押し付けながら装着することができ、カフ１０をより正しい位置に確実に装着することができる。すなわち、面ファスナ６６が空気袋５２の中心位置５２Ａを超えて配置されていた場合には、空気袋５２の中心位置５２Ａを被測定部１２に押し付けると面ファスナ６６に係合してしまうため、中心位置５２Ａを押し付けることができない。したがって、中心位置５２Ａから離れた位置でしか押し付けることができず、巻き付け時にカフ１０が正しい位置からずれて装着されるおそれがある。本実施の形態では、空気袋５２の中心位置５２Ａを押し付けながら装着することができるので、カフ１０をより正しい位置で確実に装着することができる。
【符号の説明】
【００３８】
１０…血圧計用カフ、１２…被測定部、１４…血圧測定装置、２０…空気ポンプ、５０…外装部材、５２…空気袋、５４…可撓板、５６…外布、５８…内布、６０…内布、６２…縁布、６４…チューブ、６６…面ファスナ、６８…押付部、７０…指標、７２…表記
【図１】
2014113234.tif 000003
【図２】
2014113234.tif 000004
【図３】
2014113234.tif 000005
【図４】
2014113234.tif 000006
【図５】
2014113234.tif 000007